(57)【要約】    【課題】  充電時の事故を未然に防止することができる二次電池充電装置を提供する。    【解決手段】  二次電池２の種類を判別する種別検出部８と、二次電池２を充電する電源部１０と、電源部１０を制御する充電制御部９とを備え、充電中に種別検出部８で二次電池２の種類が変化したことを検出した場合は、二次電池２への充電を中止する、または、充電電流の制限値を変更する。【選択図】      図１
2005094855.tif 000002
【特許請求の範囲】
【請求項１】
二次電池の種類を判別する判別工程と、前記二次電池を充電する充電工程と、前記充電工程を制御する制御工程とを備え、
前記制御工程は、前記充電工程により充電中に前記判別工程で前記二次電池の種類が変化したことを検出した場合に、当該充電動作を中止するように制御することを特徴とする二次電池充電方法。
【請求項２】
二次電池の種類を判別する判別工程と、前記二時電池を充電する充電工程と、前記充電工程を制御する制御工程とを備え、
前記制御工程は、前記充電工程により充電中に前記判別工程で前記二次電池の種類が変化したものと判別した場合に、当該充電電流を変化させるように制御することを特徴とする二次電池充電方法。
【請求項３】
前記二次電池の種類を判別する判別信号を判別する判別信号判別工程を備え、
前記判別工程は、前記二次電池の種類によって前記判別信号の電圧レベルが異なることで前記二次電池の種類を判別することを特徴とする請求項１または２に記載の二次電池充電方法。
【請求項４】
前記判別工程は、前記判別信号の電圧が所定値以上変化した場合に、前記二次電池の種類が変化したものと判別することを特徴とする請求項３に記載の二次電池充電方法。
【請求項５】
前記判別信号の電圧値を記憶する記憶工程と、前記記憶工程で記憶された判別信号の電圧値と充電中の判別信号の電圧とを比較する比較工程とを備え、
前記判別工程は、充電開始直前の前記判別信号の電圧値を前記記憶工程で記憶し、前記記憶された前記判別信号の電圧値と充電中の前記判別信号の電圧とを前記比較工程で比較し、その比較結果が所定値以上の場合に前記二次電池の種類が変化したものと判別することを特徴とする請求項４に記載の二次電池充電方法。
【請求項６】
前記判別信号の電圧値を記憶する記憶工程と、前記記憶工程で記憶された判別信号の電圧値と充電中の判別信号の電圧とを比較する比較工程とを備え、
前記判別工程は、充電開始から所定時間経過した後に前記判別信号の電圧値を前記記憶工程で記憶し、前記記憶された前記判別信号の電圧値と充電中の前記判別信号の電圧とを前記比較工程で比較し、その比較結果が所定値以上の場合に前記二次電池の種類が変化したものと判別することを特徴とする請求項４に記載の二次電池充電方法。
【請求項７】
二次電池の種類を判別する判別工程と、前記二次電池を充電する充電工程と、前記充電工程を制御する制御工程とを備え、
前記制御工程は、前記判別工程において前記二次電池の種類が判別できない場合は充電を行わないように制御することを特徴とする二次電池充電方法。
【請求項８】
二次電池の種類を判別する判別手段と、前記二次電池を充電する充電手段と、前記充電手段を制御する制御手段とを備え、
前記制御手段は、前記充電手段により充電中に前記判別手段で前記二次電池の種類が変化したものと判別した場合に、当該充電動作を中止するように制御することを特徴とする二次電池充電装置。
【請求項９】
二次電池の種類を判別する判別手段と、前記二時電池を充電する充電手段と、前記充電手段を制御する制御手段とを備え、
前記制御手段は、前記充電手段により充電中に前記判別手段で前記二次電池の種類が変化したものと判別した場合に、当該充電電流を変化させるように制御することを特徴とする二次電池充電装置。
【請求項１０】
前記二次電池の種類を判別する判別信号を判別する判別信号判別手段を備え、
前記判別手段は、前記二次電池の種類によって前記判別信号の電圧レベルが異なることで前記二次電池の種類を判別することを特徴とする請求項８または９に記載の二次電池充電方法。
【請求項１１】
前記判別手段は、前記判別信号の電圧が所定値以上変化した場合に、前記二次電池の種類が変わったものと判別することを特徴とする請求項１０に記載の二次電池充電装置。
【請求項１２】
前記判別信号の電圧値を記憶する記憶手段と、前記記憶手段で記憶された判別信号の電圧値と充電中の判別信号の電圧とを比較する比較手段とを備え、
前記判別手段は、充電開始直前の前記判別信号の電圧値を前記記憶手段で記憶し、前記記憶された前記判別信号の電圧値と充電中の前記判別信号の電圧とを前記比較手段で比較し、その比較結果が所定値以上の場合に前記二次電池の種類が変化したものと判別することを特徴とする請求項１１に記載の二次電池充電装置。
【請求項１３】
前記判別信号の電圧値を記憶する記憶手段と、前記記憶手段で記憶された判別信号の電圧値と充電中の判別信号の電圧とを比較する比較手段とを備え、
前記判別手段は、充電開始から所定時間経過した後に前記判別信号の電圧値を前記記憶手段で記憶し、前記記憶された前記判別信号の電圧値と充電中の前記判別信号の電圧とを前記比較手段で比較し、その比較結果が所定値以上の場合に前記二次電池の種類が変化したものと判別することを特徴とする請求項１１に記載の二次電池充電装置。
【請求項１４】
二次電池の種類を判別する判別手段と、前記二次電池を充電する充電手段と、前記充電手段を制御する制御手段とを備え、
前記制御手段は、前記判別手段において前記二次電池の種類が判別できない場合は充電を行わないように制御することを特徴とする二次電池充電装置。
【発明の詳細な説明】
【技術分野】
【０００１】
本発明は、複数種類の二次電池に対応する二次電池充電方法及び装置に関する。
【背景技術】
【０００２】
従来、二次電池充電装置として、充電時に何らかの異常を検出した場合に、既に実行している充電を中止する又は充電電流の制限値を変更するようにしたものが知られている。具体的には、例えば、冷却異常が発生した場合に、冷却異常状態と冷却正常状態との冷却能力差に応じて充放電電力を変更するようにしたものである（特許文献１参照）。
【特許文献１】特開平１１−２５２８０８号公報
【発明の開示】
【発明が解決しようとする課題】
【０００３】
しかし、上記従来の二次電池充電装置では、充電動作に対し何らかの異常が発生してから、充放電電力を変更する動作を行うものであるから、充電時の事故を未然に防止することが困難であった。
【０００４】
そこで、本発明は、充電時の事故を未然に防止することができる二次電池充電方法及び装置を提供することを目的とする。
【課題を解決するための手段】
【０００５】
上記目的を達成するために、本発明の二次電池充電方法は、二次電池の種類を判別する判別工程と、前記二次電池を充電する充電工程と、前記充電工程を制御する制御工程とを備え、前記制御工程は、前記充電工程により充電中に前記判別工程で前記二次電池の種類が変化したことを検出した場合に、当該充電動作を中止するように制御することを特徴とする。
【０００６】
また、上記目的を達成するために、本発明の二次電池充電方法は、二次電池の種類を判別する判別工程と、前記二時電池を充電する充電工程と、前記充電工程を制御する制御工程とを備え、前記制御工程は、前記充電工程により充電中に前記判別工程で前記二次電池の種類が変化したものと判別した場合に、当該充電電流を変化させるように制御することを特徴とする。
【０００７】
また、上記目的を達成するために、本発明の二次電池充電方法は、二次電池の種類を判別する判別工程と、前記二次電池を充電する充電工程と、前記充電工程を制御する制御工程とを備え、前記制御工程は、前記判別工程において前記二次電池の種類が判別できない場合は充電を行わないように制御することを特徴とする。
【０００８】
また、上記目的を達成するために、本発明の二次電池充電装置は、二次電池の種類を判別する判別手段と、前記二次電池を充電する充電手段と、前記充電手段を制御する制御手段とを備え、前記制御手段は、前記充電手段により充電中に前記判別手段で前記二次電池の種類が変化したものと判別した場合に、当該充電動作を中止するように制御することを特徴とする。
【０００９】
また、上記目的を達成するために、本発明の二次電池充電装置は、二次電池の種類を判別する判別手段と、前記二時電池を充電する充電手段と、前記充電手段を制御する制御手段とを備え、前記制御手段は、前記充電手段により充電中に前記判別手段で前記二次電池の種類が変化したものと判別した場合に、当該充電電流を変化させるように制御することを特徴とする。
【００１０】
更に、上記目的を達成するために、本発明の二次電池充電装置は、二次電池の種類を判別する判別手段と、前記二次電池を充電する充電手段と、前記充電手段を制御する制御手段とを備え、前記制御手段は、前記判別手段において前記二次電池の種類が判別できない場合は充電を行わないように制御することを特徴とする。
【発明の効果】
【００１１】
本発明によれば、充電時の事故を未然に防止することができる。
【発明を実施するための最良の形態】
【００１２】
本発明の二次電池充電方法及び装置の実施の形態について、図面を参照しながら説明する。
【００１３】
［第１の実施形態］
まず、本発明の第１の実施形態を、図１及び図２に基づき説明する。
【００１４】
図１は、本発明の第１の実施形態に係る二次電池充電装置の構成を示すブロック図であり、同図において、１は二次電池充電装置、２は二次電池、３は充電電源供給用のプラス（＋）端子、４は二次電池の種類を検出するためのＤ端子、５は二次電池の種類を検出するためのＣ端子、６は充電電源供給用のマイナス（−）端子、７は二次電池種類判別抵抗、８は種別検出部、９は充電制御部、１０は電源部、１１はＤＣ入力プラス（＋）端子、１２はＤＣ入力マイナス（−）端子である。
【００１５】
二次電池充電装置１と二次電池２とが充電電源供給用の（＋）端子３と（−）端子６及びＤ端子４、Ｃ端子５にて接続され、二次電池充電装置１と二次電池２とは、互いに着脱が可能となっている。
【００１６】
二次電池２は、複数の種類（容量及びセル特性）があり、その二次電池の種類に応じて充電電流の制限値及び充電時間の設定を変更している。二次電池２の種類を二次電池充電装置１に認識させるために、二次電池２の内部には、二次電池種類判別抵抗７がＤ端子４とＣ端子５の間に所定の抵抗値となるように設定されている。
【００１７】
二次電池充電装置１は、種別検出部８で二次電池種類判別抵抗７に所定電流を流し、Ｄ端子４とＣ端子５との間に発生する電圧（以下、この電圧を二次電池判別信号と記述する。）を計測することで、二次電池の種類を判別することができる。
【００１８】
充電制御部９は、種別検出部８で判別された二次電池２の種類に応じて充電電流の制限及び充電電圧、充電時間、充電の開始及び中止を行う。ＤＣ入力（＋）端子１１と、ＤＣ入力（−）端子１２は、外部から充電に必要な電力を供給するブロックであり、電源部１０において充電に適した電圧及び二次電池充電装置１の動作電源に変更している。
【００１９】
次に、本実施の形態に係る二次電池充電装置１の動作について、図２を用いて説明する。
【００２０】
図２は、本実施の形態に係る二次電池充電装置１の動作の流れを示すフローチャートであり、このフローチャートに基づく処理は、所定期間毎に実行するよう動作する。
【００２１】
図２において、まず、ステップＳ２０１で、後述するステップＳ２０７における二次電池充電装置１の設定内容が充電エラー状態か否かを判断する。そして、充電エラー状態であると判断された場合は、何も処理せずに本処理動作を終了し、また、充電エラー状態でないと判断された場合は次のステップＳ２０２へ進む。
【００２２】
ステップＳ２０２では、二次電池充電装置１が充電中であるか否かを、または、後述するステップＳ２０４で充電を開始したか否かを判断する。そして、充電中、でないと判断された場合、または、充電が開始されていないと判断された場合はステップＳ２０３へ進み、種別検出部８で二次電池判別信号の電圧を計測すると共に、その計測された二次電池判別信号の電圧の値（データ）を図示しない記憶部に記憶した後、次のステップＳ２０４へ進む。
【００２３】
ステップ２０４では、前記ステップＳ２０３において計測された二次電池判別信号の電圧の値（データ）に応じて充電仕様の設定を行うと共に、充電制御部９は充電開始状態となる。
【００２４】
一方、前記ステップＳ２０２において充電中であると判断された場合、または、充電が開始されたと判断された場合はステップＳ２０５へ進み、種別検出部８で二次電池判別信号の電圧を計測すると共に、その計測した二次電池判別信号の電圧の値（データ）と前記ステップＳ３０３において記憶部に記憶した二次電池判別信号の電圧の値（データ）とを比較する。
【００２５】
次に、ステップＳ２０６で、前記ステップＳ２０５において比較した二次電池判別信号の電圧の値（データ）の差が所定以上であれば、二次電池２の種類が何らかの原因で変化したものと判断し、次のステップＳ２０７へ進み、二次電池２への充電を中止すると共に、充電エラーの設定を行い、その後、本処理動作を終了する。
【００２６】
一方、前記ステップＳ２０６において、二次電池２の種類が変わっていないと
判断された場合は、そのまま何も処理せずに本処理動作を終了する。
【００２７】
以上詳述したように、本実施の形態に係る二次電池充電装置１によれば、充電中に二次電池２の種類が変化したことを検出した場合は、二次電池２への充電を中止することで、二次電池２の充電事故を防止することができる。
【００２８】
［第２の実施形態］
次に、本発明の第２の実施形態について、図３に基づき説明する。
【００２９】
なお、本実施の形態に係る二次電池充電装置の基本的な構成は、上述した第１の実施形態の図１と同一であるから、同図を流用して説明する。
【００３０】
以下、本実施の形態に係る二次電池充電装置１の動作にについて、図３を用いて説明する。
【００３１】
図３は、本実施の形態に係る二次電池充電装置１の動作の流れを示すフローチャートであり、このフローチャートに基づく処理は、所定期間毎に実行するよう動作する。
【００３２】
図３において、まず、ステップＳ３０１で、二次電池充電装置１が充電状態であるか否かを判断する。そして、充電中でないと判断された場合は次のステップＳ３０２へ進み、種別検出部８で二次電池種別判別信号の電圧を測定すると共に、その測定した二次電池種別判別信号の電圧の値（データ）を図示しない記憶部に記憶して、次のステップＳ２０３へ進む。
【００３３】
ステップＳ２０３では、前記ステップＳ２０２において測定した二次電池種別判別信号の電圧の値（データ）から二次電池２の種類を判別し、その判別された二次電池２に対応する充電仕様に設定すると共に、二次電池２への充電を開始した後、本処理動作を終了する。
【００３４】
一方、前記ステップＳ２０１において充電中であると判断された場合はステップＳ３０４へ進み、種別検出部８で二次電池種別判別信号の電圧を測定すると共に、その測定した二次電池種別判別信号の電圧の値（データ）と、前記ステップＳ３０２において記憶部に記憶された充電前に測定した二次電池種別判別信号の電圧の値（データ）とを比較して、次のステップＳ３０５へ進む。
【００３５】
ステップＳ３０５では、前記ステップＳ３０４において比較した二次電池種別判別信号の電圧の値（データ）の差が所定以上であれば、二次電池２の種類が何らかの原因で変化したものと判断し、次のステップＳ３０６へ進み、充電電流の制限値を変更した後、本処理動作を終了する。
【００３６】
一方、前記ステップＳ３０５において二次電池２の種類が変わっていないと判断された場合は、何も処理せずに本処理動作を終了する。
【００３７】
以上詳述したように、本実施の形態に係る二次電池充電装置１によれば、充電中に二次電池２の種類が変化したことを検出した場合は、充電電流の制限値を変更することで、二次電池２の充電事故を防止することができる。
【００３８】
［第３の実施形態］
次に、本発明の第３の実施形態について、図４に基づき説明する。
【００３９】
なお、本実施の形態に係る二次電池充電装置の基本的な構成は、上述した第１の実施形態の図１と同一であるから、同図を流用して説明する。
【００４０】
以下、本実施の形態に係る二次電池充電装置１の動作にについて、図４を用いて説明する。
【００４１】
図４は、本実施の形態に係る二次電池充電装置１の動作の流れを示すフローチャートであり、このフローチャートに基づく処理は、所定期間毎に実行するよう動作する。
【００４２】
図４において、まず、ステップＳ４０１で、後述するステップＳ４１０における二次電池充電装置１の設定内容が充電エラー状態か否かを判断する。そして、充電エラー状態であると判断された場合は、何も処理せずに本処理動作を終了し、また、充電エラー状態でないと判断された場合は、次のステップＳ４０２へ進む。
【００４３】
ステップＳ４０２では、二次電池充電装置１が充電中であるか否かを、または、後述するステップＳ４０４において充電を開始したかを判断する。そして、充電中でないと判断された場合、または、充電が開始されていないと判断された場合はステップＳ４０３へ進んで、種別検出部８で二次電池判別信号の電圧を計測して、次のステップＳ４０４へ進む。
【００４４】
ステップＳ４０４では、前記ステップＳ４０３において計測された二次電池判別信号の電圧の値（データ）に応じて充電仕様の設定を行うと共に、充電制御部９は充電開始状態となる。
【００４５】
一方、前記ステップＳ４０２において充電中であると判断された場合、または、充電を開始したと判断された場合はステップＳ４０５へ進み、後述するステップＳ４０７において行われる二次電池判別信号の電圧値の図示しない記憶部への記憶が行われているか否かを判断する。そして、二次電池判別信号の電圧値の記憶部への記憶が行われていないと判断された場合はステップＳ４０６へ進み、充電開始後所定時間経過したか否かを判断する。そして、充電開始後所定時間経過していないと判断された場合は、何も処理せずに本処理動作を終了し、また、充電開始後所定時間が経過していると判断された場合はステップＳ４０７へ進み、二次電池判別信号の電圧の計測及びその計測した二次電池判別信号の電圧の値（データ）を図示しない記憶部に記憶した後、本処理動作を終了する。
【００４６】
一方、前記ステップＳ４０５において二次電池判別信号の電圧値を記憶部に記憶済であると判断された場合はステップＳ４０８へ進み、種別検出部９で二次電池判別信号の電圧の計測を行うと共に、その計測した二次電池判別信号の電圧の値（データ）と、記憶部に記憶されている二次電池判別信号の電圧の値（データ）とを比較した後、次のステップＳ４０９へ進む。
【００４７】
ステップＳ４０９では、前記ステップＳ４０８において比較した二次電池判別信号の電圧の値（データ）の差が所定以上か否かを判断する。そして、所定値以内であると判断された場合は本処理動作を終了し、また、所定値以上であると判断された場合は、二次電池２の種類が変わったものと判断してステップＳ４１０へ進み、二次電池２への充電を中止すると共に、充電エラーの設定を行った後、本処理動作を終了する。
【００４８】
以上詳述したように本実施の形態に係る二次電池充電装置１によれば、充電中に二次電池２の種類が変化したことを検出した場合は、二次電池２への充電を中止することで、二次電池２の充電事故を防止することができる。
【００４９】
［第４の実施形態］
次に、本発明の第４の実施形態について、図５に基づき説明する。
【００５０】
なお、本実施の形態に係る二次電池充電装置の基本的な構成は、上述した第１の実施形態の図１と同一であるから、同図を流用して説明する。
【００５１】
以下、本実施の形態に係る二次電池充電装置１の動作にについて、図５を用いて説明する。
【００５２】
図５は、本実施の形態に係る二次電池充電装置１の動作の流れを示すフローチャートであり、このフローチャートに基づく処理は、所定期間毎に実行するよう動作する。
【００５３】
図５において、まず、ステップＳ５０１で、二次電池充電装置１が充電中であるか否か、または、後述するステップＳ５０３において充電を開始したか否かを判断する。そして、充電中でないと判断された場合、または、充電が開始されていないと判断された場合は次のステップＳ５０２へ進む。
【００５４】
ステップＳ５０２では、種別検出部８で二次電池判別信号の電圧の計測を行った後、次のステップＳ５０３へ進み、前記ステップＳ５０２において計測された二次電池判別信号の電圧値に応じて充電仕様の設定を行うと共に、充電制御部９は充電開始状態となる。
【００５５】
一方、前記ステップＳ５０１において充電中であると判断された場合、または、充電が開始されたと判断された場合はステップＳ５０４へ進み、後述するステップＳ５０６において行われる二次電池判別信号の電圧の値（データ）の図示しない記憶部への記憶が行われているかを判断する。そして、二次電池判別信号の電圧の値（データ）の記憶部への記憶が行われていないと判断された場合はステップＳ５０５へ進み、充電開始後所定時間経過したか否かを判断する。そして、充電開始後所定時間経過していないと判断された場合は本処理動作を終了し、また、充電開始後所定時間が経過していると判断された場合はステップＳ５０６へ進み、二次電池判別信号の電圧の計測及びその計測した二次電池判別信号の電圧の値（データ）を図示しない記憶部に記憶した後、本処理動作を終了する。
【００５６】
一方、前記ステップＳ５０４において二次電池判別信号の電圧の値（データ）記憶部に記憶済であると判断された場合はステップＳ５０７へ進み、種別検出部８で二次電池判別信号の電圧の計測を行うと共に、その計測した二次電池判別信号の電圧の値（データ）と、記憶部に記憶されている二次電池判別信号の電圧の値（データ）とを比較した後、次のステップＳ５０へ進む。
【００５７】
ステップＳ５０８では、前記ステップＳ５０７において比較した二次電池判別信号の電圧の値（データ）の差が所定以上か否かを判断する。そして、所定値以内であると判断された場合は本処理動作を終了し、また、所定値以上であ判断されたると場合は、二次電池２の種類が変わったものと判断して、次のステップＳ５０９へ進み、充電電流制限値を変更した後、本処理動作を終了する。
【００５８】
以上詳述したように、本実施の形態に係る二次電池充電装置１によれば、充電中に二次電池２の種類が変化したことを検出した場合は、充電電流の制限値を変更することで、二次電池２の充電事故を防止することができる。
【００５９】
［第５の実施形態］
次に、本発明の第５の実施形態について、図６に基づき説明する。
【００６０】
なお、本実施の形態に係る二次電池充電装置の基本的な構成は、上述した第１の実施形態の図１と同一であるから、同図を流用して説明する。
【００６１】
以下、本実施の形態に係る二次電池充電装置１の動作にについて、図６を用いて説明する。
【００６２】
図６は、本実施の形態に係る二次電池充電装置１の動作の流れを示すフローチャートであり、このフローチャートに基づく処理は、所定期間毎に実行するよう動作する。
【００６３】
図６において、まず、ステップＳ６０１で、後述するステップＳ６０６における二次電池充電装置１の設定内容が充電エラー状態か否かを判断する。そして、充電エラー状態であると判断された場合は、何も処理せずに本処理動作を終了し、また、充電エラー状態でないと判断された場合は、次のステップＳ６０２へ進む。
【００６４】
ステップＳ６０２では、二次電池充電装置１が充電中であるか否かを、または、後述するステップＳ６０５において充電を開始したかを判断する。そして、充電中でないと判断された場合、または、充電が開始されていないと判断された場合はステップＳ６０３へ進んで、種別検出部８で二次電池判別信号の電圧を計測して、次のステップＳ６０４へ進む。
【００６５】
ステップＳ６０４では、前記ステップＳ６０３において計測された二次電池判別信号の電圧値が二次電池充電装置１で対応している値かを判断し、対応している値であると判断された場合はステップＳ６０５へ進み、計測した値で判断した二次電池に応じて充電仕様の設定を行うと共に、充電制御部９は充電開始状態となる。
【００６６】
一方、前記ステップＳ６０４で、前記ステップＳ６０３において計測された二次電池判別信号の電圧値が二次電池充電装置１で未対応の値であると判断された場合は、充電エラーの設定を行った後、本処理動作を終了する。
【００６７】
以上詳述したように、本実施の形態に係る二次電池充電装置１によれば、二次電池充電装置１で対応していない二次電池に対しては充電を開始しないことで、充電事故を防止することができる。
【００６８】
［その他の実施形態］
以上が本発明の実施形態の説明であるが、本発明は、これら実施形態に限られるものではなく、特許請求の範囲で示した機能、または実施形態の構成が持つ機能を達成できる構成であれば、どのようなものであっても適用可能である。
【００６９】
また、本発明の目的は、前述した実施形態の機能を実現するソフトウェアのプログラムコードを記憶した記憶媒体を、システム或いは装置に供給し、そのシステム或いは装置のコンピュータ（またはＣＰＵやＭＰＵ等）が記憶媒体に格納されたプログラムコードを読み出し実行することによっても、達成されることは言うまでもない。
【００７０】
また、プログラムコードを供給するための記憶媒体としては、例えば、フレキシブルディスク、ハードディスク、光ディスク、光磁気ディスク、ＣＤ−ＲＯＭ、ＣＤ−Ｒ、磁気テープ、不揮発性のメモリカード、ＲＯＭ等を用いることができる。
【００７１】
また、コンピュータが読み出したプログラムコードを実行することにより、前述した実施形態の機能が実現されるだけでなく、そのプログラムコードの指示に基づき、コンピュータ上で稼動しているＯＳ（オペレーティングシステム）等が実際の処理の一部または全部を行い、その処理によって前述した実施形態の機能が実現される場合も含まれることは言うまでもない。
【００７２】
更に、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【図面の簡単な説明】
【００７３】
【図１】本発明の第１の実施形態に係る二次電池充電装置の構成を示すブロック図である。
【図２】本発明の第１の実施形態に係る二次電池充電装置の動作の流れを示すフローチャートである。
【図３】本発明の第２の実施形態に係る二次電池充電装置の動作の流れを示すフローチャートである。
【図４】本発明の第３の実施形態に係る二次電池充電装置の動作の流れを示すフローチャートである。
【図５】本発明の第４の実施形態に係る二次電池充電装置の動作の流れを示すフローチャートである。
【図６】本発明の第５の実施形態に係る二次電池充電装置の動作の流れを示すフローチャートである。
【符号の説明】
【００７４】
１    二次電池充電装置
２    二次電池
３    充電電源供給用のプラス（＋）端子
４    二次電池の種類を検出するためのＤ端子
５    二次電池の種類を検出するためのＣ端子
６    充電電源供給用のマイナス（−）端子
７    二次電池種類判別抵抗
８    種別検出部
９    充電制御部
１０  電源部
１１  ＤＣ入力プラス（＋）端子
１２  ＤＣ入力マイナス（−）端子
【図１】
2005094855.tif 000003
【図２】
2005094855.tif 000004
【図３】
2005094855.tif 000005
【図４】
2005094855.tif 000006
【図５】
2005094855.tif 000007
【図６】
2005094855.tif 000008